(57)【要約】【課題】カメラ付き携帯電話等の携帯端末装置において取得された画像データに対して携帯端末装置の特性を考慮した画像処理を施す。【解決手段】画像サーバ３の保管手段には種々のカメラ付き携帯電話１，２において取得された画像データが保管されている。処理対象の画像データＳ０に時間的に前後する複数の画像データを抽出し、そこから画像データＳ０を取得したカメラ付き携帯電話１において取得された画像データを選択する。選択された画像データに基づいて画像データＳ０に対して画像処理を施すための画像処理パラメータＰ０をオートセットアップ手段３７において算出し、画像処理パラメータＰ０に基づいて画像データＳ０に対して画像処理を施して処理済み画像データＳ３を得る。【選択図】　　　　　図１
2004032371.tif 000002
【特許請求の範囲】
【請求項１】
複数種類のカメラ付き携帯端末装置においてそれぞれ取得された複数の画像データのうちの１の処理対象画像データに対して画像処理を施して処理済み画像データを得る画像処理方法であって、
前記複数の画像データから、前記処理対象画像データを取得した対象カメラ付き携帯端末装置と同一機種のカメラ付き携帯装置において取得された複数の対象画像データを選択し、
該複数の対象画像データに基づいて前記処理対象画像データに対して前記画像処理を施すための画像処理パラメータを算出し、
該画像処理パラメータに基づいて、前記処理対象画像データに対して画像処理を施して前記処理済み画像データを得ることを特徴とする画像処理方法。
【請求項２】
所定時間内に取得された複数の画像データを前記複数の対象画像データとして選択することを特徴とする請求項１記載の画像処理方法。
【請求項３】
複数種類のカメラ付き携帯端末装置においてそれぞれ取得された複数の画像データのうちの１の処理対象画像データに対して画像処理を施して処理済み画像データを得る画像処理装置であって、
前記複数の画像データから、前記処理対象画像データを取得した対象カメラ付き携帯端末装置と同一機種のカメラ付き携帯端末装置において取得された複数の対象画像データを選択し、該複数の対象画像データに基づいて前記処理対象画像データに対して前記画像処理を施すための画像処理パラメータを算出する画像処理パラメータ算出手段と、
該画像処理パラメータに基づいて、前記処理対象画像データに対して画像処理を施して前記処理済み画像データを得る処理手段とを備えたことを特徴とする画像処理装置。
【請求項４】
前記画像処理パラメータ算出手段は、所定時間内に取得された複数の画像データを前記複数の対象画像データとして選択する手段であることを特徴とする請求項３記載の画像処理装置。
【請求項５】
複数種類のカメラ付き携帯端末装置においてそれぞれ取得された複数の画像データのうちの１の処理対象画像データに対して画像処理を施して処理済み画像データを得る画像処理方法をコンピュータに実行させるためのプログラムであって、
前記複数の画像データから、前記処理対象画像データを取得した対象カメラ付き携帯端末装置と同一機種のカメラ付き携帯端末装置において取得された複数の対象画像データを選択する手順と、
該複数の対象画像データに基づいて前記処理対象画像データに対して前記画像処理を施すための画像処理パラメータを算出する手順と、
該画像処理パラメータに基づいて、前記処理対象画像データに対して画像処理を施して前記処理済み画像データを得る手順とを有するプログラム。
【請求項６】
前記複数の対象画像データを選択する手順は、所定時間内に取得された複数の画像データを前記複数の処理対象画像データとして選択する手順である請求項５記載のプログラム。
【発明の詳細な説明】
【０００１】
【発明の属する技術分野】
本発明は、カメラ付き携帯電話等の携帯端末装置において取得された画像データに対して画像処理を施す画像処理方法および装置並びに画像処理方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
一方、ネガフイルムに記録された画像を読み取ることにより得られた画像データに対して画像処理を施す際に、ネガフイルムに記録された全ての画像から求められた階調バランスと、各画像毎の階調バランスとを重み付けすることにより、各画像に対する階調バランスの調整条件を求めるようにした方法が提案されている（特開平１１−３１７８８０号公報）。
【０００７】
また、ネガフイルムに記録された各画像の類似度を求め、類似度に応じて各画像の画像処理条件を求めるようにした方法も提案されている（特開２０００−９８５１３号公報）。このように、複数の画像を用いて画像処理のためのパラメータを算出することにより、ネガフイルムの特性を考慮した画像処理をネガフイルムに記録された画像を読み取ることにより得られた画像データに対して施すことができるため、画質のばらつきのない処理済み画像を得ることができる。
【０００８】
【発明が解決しようとする課題】
ところで、カメラ付き携帯電話の機種も多様化しているが、機種に応じてカメラの特性が異なることから、カメラ付き携帯電話の機種を考慮した画像処理を画像データに対して施すことが好ましい。
【０００９】
本発明は上記事情に鑑みなされたものであり、カメラ付き携帯電話等の携帯端末装置において得られた画像データに対して、機種の特性を考慮した画像処理を施すことを目的とする。
【００１０】
【課題を解決するための手段】
本発明による画像処理方法は、複数種類のカメラ付き携帯端末装置においてそれぞれ取得された複数の画像データのうちの１の処理対象画像データに対して画像処理を施して処理済み画像データを得る画像処理方法であって、
複数種類のカメラ付き携帯端末装置において取得された複数の画像データから、前記処理対象画像データを取得した対象カメラ付き携帯端末装置と同一機種のカメラ付き携帯端末装置において取得された複数の対象画像データを選択し、
該複数の対象画像データに基づいて前記処理対象画像データに対して前記画像処理を施すための画像処理パラメータを算出し、
該画像処理パラメータに基づいて、前記処理対象画像データに対して画像処理を施して前記処理済み画像データを得ることを特徴とするものである。
【００１１】
なお、本発明による画像処理方法においては、所定時間内に取得された複数の画像データを前記複数の対象画像データとして選択するようにしてもよい。この場合、複数の画像データは似たシーンを表すものとなる。
【００１２】
本発明による画像処理装置は、複数種類のカメラ付き携帯端末装置においてそれぞれ取得された複数の画像データのうちの１の処理対象画像データに対して画像処理を施して処理済み画像データを得る画像処理装置であって、
前記複数の画像データから、前記処理対象画像データを取得した対象カメラ付き携帯端末装置と同一機種のカメラ付き携帯端末装置において取得された複数の対象画像データを選択し、該複数の対象画像データに基づいて前記処理対象画像データに対して前記画像処理を施すための画像処理パラメータを算出する画像処理パラメータ算出手段と、
該画像処理パラメータに基づいて、前記処理対象画像データに対して画像処理を施して前記処理済み画像データを得る処理手段とを備えたことを特徴とするものである。
【００１３】
なお、本発明による画像処理装置においては、前記画像処理パラメータ算出手段を、所定時間内に取得された複数の画像データを前記複数の対象画像データとして選択する手段としてもよい。
【００１４】
なお、本発明による画像処理方法をコンピュータに実行させるためのプログラムとして提供してもよい。
【００１５】
【発明の効果】
本発明によれば、複数種類のカメラ付き携帯端末装置においてそれぞれ取得された複数の画像データから、画像処理の対象である処理対象画像データを取得した対象カメラ付き携帯端末装置と同一機種のカメラ付き携帯端末装置において取得された複数の対象画像データが選択され、選択された複数の対象画像データに基づいて処理対象画像データに画像処理を施すための画像処理パラメータが算出される。このため、算出された画像処理パラメータは、処理対象画像データを取得した対象カメラ付き携帯端末装置の特性を考慮したものとなっている。したがって、算出された画像処理パラメータに基づくことにより、同一機種のカメラ付き携帯端末装置において得られた画像データに対しては、画質のばらつきが生じないように画像処理を施すことができる。
【００１６】
また、複数の対象画像データを所定時間内に取得された画像データとすることにより、とくに似たシーンの画像に基づいて算出された画像処理パラメータにより処理対象の画像データに対して画像処理を施すことができるため、処理済み画像データにより表される処理済み画像の画質のばらつきをより低減することができる。
【００１７】
【発明の実施の形態】
以下図面を参照して本発明の実施形態について説明する。図１は本発明の実施形態による画像処理装置を備えた画像処理システムの構成を示す概略ブロック図である。図１に示すように本実施形態による画像処理システムは、カメラ付き携帯電話１，２と、カメラ付き携帯電話１，２において取得された画像データＳ０を保管管理する画像サーバ３と、画像データＳ０をプリント出力するラボ４との間で、画像データＳ０や種々の情報のやり取りを携帯電話通信網５を介して行うものである。
【００１８】
カメラ付き携帯電話１は、撮影により画像データＳ０を取得するカメラ１１と、画像データＳ０や種々の情報の送受信を行う通信手段１２と、画像データＳ０に対して画像処理を施して処理済み画像データＳ１を得る画像処理手段１３と、画像や電話番号等種々の表示を行う液晶モニタ１４と、カメラ付き携帯電話１の動作を制御するコントローラ１５と、後述するように画像データＳ０の用途および／または画質に基づいて、画像データＳ０に対して画像処理を施す場所を決定して場所情報Ｂ０を生成する画像処理場所決定手段１６と、カメラ１１による撮影の操作、画像データＳ０の送信指示、画像データＳ０の用途および／または画質の入力、画像データＳ０または処理済み画像データＳ１の送信先、プリント出力を行うか否かの指定、画像サーバ３に保管しておくか否かの指定、画像データＳ０に画像処理を施す際の指示等、種々の情報の入力を行う複数のボタンからなる入力手段１７とを備える。
【００１９】
カメラ付き携帯電話２は、撮影により画像データＳ０を取得するカメラ２１と、画像データＳ０や種々の情報の送受信を行う通信手段２２と、画像データＳ０に対して画像処理を施して処理済み画像データＳ２を得る画像処理手段２３と、画像や電話番号等種々の表示を行う液晶モニタ２４と、カメラ付き携帯電話２の動作を制御するコントローラ２５と、後述するように画像データＳ０の用途および／または画質に基づいて、画像データＳ０に対して画像処理を施す場所を決定して場所情報Ｂ０を生成する画像処理場所決定手段２６と、カメラ２１による撮影の操作、画像データＳ０の送信指示、画像データＳ０の用途および／または画質の入力、画像データＳ０または処理済み画像データＳ２の送信先、プリント出力を行うか否かの指定、画像サーバ３に保管しておくか否かの指定、画像データＳ０に画像処理を施す際の指示等、種々の情報の入力を行う複数のボタンからなる入力手段２７とを備える。
【００２０】
なお、本実施形態においては、カメラ付き携帯電話１において画像データＳ０を取得して画像データＳ０に画像処理を施す画像処理場所を決定し、カメラ付き携帯電話２を画像データＳ０または処理済み画像データＳ１の送信先の１つとして指定するものとする。
【００２１】
画像処理手段１３は、画像データＳ０に対して濃度補正処理、ホワイトバランス調整処理、階調補正処理、色補正処理、シャープネス処理等の画像処理を施して処理済み画像データＳ１を得る。なお、画像処理手段１３は、後述する画像サーバ３やラボ４の画像処理手段ほど高度な画像処理を行うことができないものである。したがって、得られる処理済み画像データＳ１は、液晶モニタ１４のように比較的小さいサイズのモニタに表示するには問題ないが、プリント出力したりパソコンのモニタのような大きいサイズのモニタに表示するには適さないものである。
【００２２】
画像処理場所決定手段１６は、カメラ付き携帯電話１のユーザが入力手段１７から入力した画像データＳ０の用途および／または画質に基づいて、画像データＳ０に対して画像処理を施す場所を決定して、画像処理を施す場所を表す場所情報Ｂ０を生成する。例えば、画像データＳ０の用途が携帯電話のモニタへの表示である旨が入力された場合および／または低画質の旨が入力された場合には、画像データＳ０はそれほど高い画質は要求されないことから、画像処理場所決定手段１６は、画像処理場所をカメラ付き携帯電話１に決定して場所情報Ｂ０を生成する。なお、画像データＳ０をカメラ付き携帯電話２に送信する場合には、画像処理場所をカメラ付き携帯電話２と決定して場所情報Ｂ０を生成してもよい。この場合、画像処理場所の決定は、入力手段１７から入力される画像データＳ０の送信先情報に基づいて行えばよい。
【００２３】
なお、用途および／または画質は入力手段１７から直接入力してもよいが、液晶モニタ１４に種々の用途および／または画質を表示して、ユーザに所望とする用途および／または画質を選択させるようにしてもよい。
【００２４】
また、画像データＳ０の用途が画像サーバ３への保管である場合には、画像データＳ０がパソコン等の端末装置にダウンロードされてモニタに表示されて用いられることから、画像データＳ０にはプリント出力ほどではないが中程度の画質が要求される。したがって、画像データＳ０の用途が画像サーバ３への保管である場合および／または中程度の画質の旨が入力された場合には、画像処理場所決定手段１６は、画像データＳ０には中程度の画質が要求されることから、画像処理場所を画像サーバ３に決定して場所情報Ｂ０を生成する。
【００２５】
さらに、画像データＳ０の用途がプリント出力である場合には、画像データＳ０には高画質が要求される。また、画像データＳ０を高画質にしたい場合はプリント出力を所望する場合が多い。したがって、画像データＳ０の用途がプリント出力である場合および／または高画質の旨が入力された場合には、画像処理場所決定手段１６は、画像データＳ０には高画質が要求されることから、画像処理場所をラボ４に決定して場所情報Ｂ０を生成する。
【００２６】
通信手段１２は、画像データＳ０または処理済み画像データＳ１を、場所情報Ｂ０および画像データＳ０または処理済み画像データＳ１の送信先を表す送信先情報（例えば、ラボ４、カメラ付き携帯電話２、カメラ付き携帯電話１のユーザの友人のメールアドレス等）とともに携帯電話通信網５を介して画像サーバ３へ送信する。なお、画像データＳ０の用途がプリント出力である場合には、プリントの受け取り先を表す受け取り先情報（相手を特定できればよいため、例えば携帯電話の番号等でもよい）も送信される。なお、画像データＳ０または処理済み画像データＳ１のタグには、カメラ付き携帯電話１の機種を表す機種情報が記述される。
【００２７】
ここで、未処理の画像データＳ０が送信されるのは、画像処理場所が画像サーバ３、ラボ４およびカメラ付き携帯電話２に決定された場合である。一方、画像処理場所がカメラ付き携帯電話１に決定された場合には、画像処理手段１３において画像データＳ０に対して画像処理が施されて処理済み画像データＳ１が得られ、これが場所情報Ｂ０（この場合カメラ付き携帯電話１を表す）とともに画像サーバ３へ送信される。
【００２８】
なお、カメラ付き携帯電話２の通信手段２２、画像処理手段２３および画像処理場所決定手段２６は、通信手段１２、画像処理手段１３および画像処理場所決定手段１６と同様の機能を有する。
【００２９】
画像サーバ３は、画像データＳ０等種々の情報の送受信を行う通信手段３１と、画像データＳ０に対して画像処理を施して処理済み画像データＳ３を得る画像処理手段３２と、カメラ付き携帯電話１から送信された画像データＳ０または処理済み画像データＳ１を保管する保管手段３３と、画像データＳ０または処理済み画像データＳ１の保管場所を表すＵＲＬを生成するＵＲＬ生成手段３４と、ＵＲＬ生成手段３４において生成されたＵＲＬが付与された電子メールを作成するメール作成手段３５と、画像サーバ３の動作を制御するコントローラ３６と、画像データＳ０に対して施す画像処理のための画像処理パラメータＰ０を算出するオートセットアップ手段３７とを備える。
【００３０】
画像処理手段３２は、カメラ付き携帯電話１から画像データＳ０が送信され、かつ場所情報Ｂ０に基づく画像処理場所が画像サーバ３である場合に、画像データＳ０に対して濃度補正処理、ホワイトバランス調整処理、階調補正処理、色補正処理、シャープネス処理等の画像処理を施して処理済み画像データＳ３を得る。なお、画像処理手段３２において行われる画像処理は、処理済み画像データＳ３をモニタに表示するのに適した画質にする画像処理である。また、画像データＳ０に対する画像処理のための画像処理パラメータＰ０は後述するようにオートセットアップ手段３７において算出される。
【００３１】
保管手段３３は、カメラ付き携帯電話１から処理済み画像データＳ１が送信された場合には処理済み画像データＳ１を保管する。また、未処理の画像データＳ０が送信された場合において、場所情報Ｂ０に基づく画像処理場所が画像サーバ３である場合には、画像処理手段３２において得られた処理済み画像データＳ３を保管する。さらに、未処理の画像データＳ０が送信された場合において、場所情報Ｂ０に基づく画像処理場所がカメラ付き携帯電話２またはラボ４である場合には、未処理の画像データＳ０を保管する。
【００３２】
ＵＲＬ生成手段３４は、画像データＳ０、処理済み画像データＳ１または処理済み画像データＳ３の保管場所を表すＵＲＬを生成する。
【００３３】
メール作成手段３５は、画像データＳ０または処理済み画像データＳ１とともに送信された送信先情報に基づいて、ＵＲＬ生成手段３４において生成されたＵＲＬが付与された電子メールを作成する。なお、作成された電子メールは、通信手段３１により送信先情報に基づく送信先に携帯電話通信網５を介して送信される。
【００３４】
オートセットアップ手段３７は、保管手段３３に保管された複数の画像データからカメラ付き携帯電話１において取得された複数の画像データを選択し、選択された複数の画像データに基づいて処理の対象である画像データＳ０の画像処理パラメータＰ０を算出する。
【００３５】
具体的には、まず画像データＳ０のタグ情報を参照し、画像データＳ０を取得したカメラ付き携帯電話１の機種情報を得、この機種情報と同一の機種情報がタグ情報に記述されている複数の画像データ（Ｓｐとする）を保管手段３３から選択する。
【００３６】
図２は画像データＳｐの選択を説明するための図である。まず、画像サーバ３の保管手段３３に保管された複数の画像データを撮影順に並べ、処理対象である画像データＳ０の撮影時間を基準とした前後それぞれ３０分以内の複数の画像データを抽出する。本実施形態においては１０個の画像データが抽出されたとする。なお、複数の画像データを並べる順序は、保管手段３３に保管された順であってもよい。また、画像データＳ０の撮影時間を基準として、その前後の予め定められた数（例えば前後それぞれ１０個）の画像データを抽出するようにしてもよい。
【００３７】
そして、１０個の画像データのタグ情報を参照し、カメラ付き携帯電話１において取得された複数の画像データＳｐを選択する。図２においては、▲１▼、▲２▼がそれぞれカメラ付き携帯電話１，２において取得された画像データを、▲３▼が不図示の他のカメラ付き携帯電話において取得された画像データを示す。図２に示すように画像データが並べられた場合、カメラ付き携帯電話１において取得された画像データＳｐはＳｐ１〜Ｓｐ５の５つとなる。なお、複数の画像データＳｐが選択できない場合には、複数の画像データＳｐが選択できるまで画像データを抽出する時間間隔を広げればよい。
【００３８】
そして、画像データＳｐ１〜Ｓｐ５のそれぞれにより表される画像の特徴量（例えばＲＧＢ濃度の平均値、高彩度部分を除去したＲＧＢ濃度の平均値等）に基づいて、濃度補正量、ホワイトバランス調整量、階調補正量、色補正量およびシャープネス補正量を画像処理パラメータＰ１〜Ｐ５として算出する。また、画像データＳｐ１〜Ｓｐ５に付与されたタグ情報には、画像種（セピア、モノクロ画像等）や撮影時のストロボ使用の有無等を表す撮影情報が記述されているため、タグ情報に基づいて画像処理パラメータＰ１〜Ｐ５を算出する。
【００３９】
次いで、処理対象である画像データＳ０（ここでは画像データＳｐ３に対応する）および画像データＳ０の前後の画像データＳｐ２，Ｓｐ４に基づいて算出された画像処理パラメータＰ２，Ｐ３，Ｐ４を重み付け加算して、画像データＳ０に対する画像処理パラメータＰ０を算出する。例えば、Ｐ０＝１・Ｐ２＋２・Ｐ３＋１・Ｐ４の重み付け加算演算により画像処理パラメータＰ０を算出する。
【００４０】
なお、処理対象の画像データＳ０が画像データＳｐ１である場合、時間的に前の画像データＳｐが存在しないため、時間的に後の画像データＳｐ２の画像処理パラメータＰ２と画像処理パラメータＰ１との重み付け加算により画像処理パラメータＰ０を算出する。また、処理対象の画像データＳ０が画像データＳｐ５である場合、時間的に後の画像データＳｐが存在しないため、時間的に前の画像データＳｐ４の画像処理パラメータＰ４と画像処理パラメータＰ５との重み付け加算により画像処理パラメータＰ０を算出する。
【００４１】
また、画像処理パラメータＰ１〜Ｐ５の平均値を画像データＳ０についての画像処理パラメータＰ０として算出してもよい。
【００４２】
ラボ４は、画像データＳ０等種々の情報の送受信を行う通信手段４１と、画像データＳ０に対して画像処理を施して処理済み画像データＳ４を得る画像処理手段４２と、処理済み画像データＳ４をプリント出力してプリントＰを作成するプリンタ４３と、プリントＰが作成された場合にその旨をカメラ付き携帯電話１に通知する通知手段４４と、ラボ４の動作を制御するコントローラ４５とを備える。
【００４３】
ラボ４は、画像サーバ３から送信された電子メールを受信すると、電子メールに付与されたＵＲＬを参照して、通信手段４１において画像サーバ３の保管手段３３から画像データＳ０をダウンロードする。なお、画像データＳ０のダウンロードと同時に、プリントＰの受け取り先を表す受け取り先情報もダウンロードする。
【００４４】
画像処理手段４２は、画像サーバ３の保管手段３３からダウンロードした画像データＳ０に対して、濃度補正処理、ホワイトバランス調整処理、階調補正処理、色補正処理、シャープネス処理等の画像処理を施して処理済み画像データＳ４を得る。ここで、ラボ４に電子メールが送信された場合には、ラボ４において画像データＳ０に画像処理を施すことは明らかであるが、場所情報Ｂ０を参照して画像処理場所がラボ４であることを確認することが好ましい。なお、画像処理手段４２において行われる画像処理は、処理済み画像データＳ４をプリント出力するのに適した画質にする画像処理である。
【００４５】
通知手段４４は、処理済み画像データＳ４のプリント出力が完了すると、受け取り先情報に基づく受け取り先に、プリント出力が完了した旨の通知を行う。通知は電子メールであっても電話の自動音声によるものであってもよい。なお、ラボ４のオペレータが受け取り先に電話をかけたり、マニュアル操作により電子メールを送信することによって、通知を行ってもよい。
【００４６】
なお、画像サーバ３からカメラ付き携帯電話２に電子メールが送信された場合には、カメラ付き携帯電話２のユーザは、ＵＲＬを参照して画像サーバ３の保管手段３３にアクセスして画像データＳ０または処理済み画像データＳ１をダウンロードする。なお、処理済み画像データＳ１をダウンロードした場合には、処理済み画像データＳ１がそのまま液晶モニタ２４に表示される。一方、画像データＳ０をダウンロードした場合には、画像処理手段２３において画像データＳ０に対して画像処理が施されて処理済み画像データＳ２が得られ、これが液晶モニタ２４に表示される。
【００４７】
なお、カメラ付き携帯電話２に未処理の画像データＳ０の保管場所を表すＵＲＬが付与された電子メールが送信された場合には、カメラ付き携帯電話２において画像データＳ０に画像処理を施すことは明らかであるが、場所情報Ｂ０を参照して画像処理場所がカメラ付き携帯電話２であることを確認することが好ましい。
【００４８】
ここで、画像処理手段３２において行われる処理について説明する。図３は画像サーバ３の画像処理手段３２およびオートセットアップ手段３７において行われる処理を示す概略ブロック図である。なお、図３においては、一点鎖線で囲まれる処理がオートセットアップ手段３７において行われる処理である。図３に示すように、オートセットアップ手段３７においては、画像データＳｐ１〜Ｓｐ５はＪＰＥＧ形式等により圧縮されていることから、まず、画像データＳｐ１〜Ｓｐ５が解凍され、次いで、画像データＳｐ１〜Ｓｐ５が縮小される。そして、縮小された画像データＳｐ１〜Ｓｐ５および画像データＳｐ１〜Ｓｐ５のタグ情報に付与された撮影時の撮影条件等に基づいて、画像処理パラメータＰ１〜Ｐ５が算出され、さらに処理の対象である画像データＳ０についての画像処理パラメータＰ０が算出される。
【００４９】
そして、算出された画像処理パラメータＰ０に基づいて、濃度補正処理、ホワイトバランス調整処理、階調補正処理、色補正処理、およびシャープネス処理が行われて処理済み画像データＳ３が得られる。なお、画像処理パラメータＰ０に基づく処理ではないが、シャープネス処理の前に画像データＳ０により表される画像のサイズを出力サイズ（プリントサイズ、モニタサイズ等）に合わせるための拡大処理が行われる。ここで、拡大処理には１未満の倍率の拡大処理も含まれる。
【００５０】
ここで、濃度補正処理およびホワイトバランス調整処理は、撮影時の露出エラーおよびホワイトバランスエラーを補正し、階調補正処理は、撮影時のシーンとプリントとのコントラストの相違を吸収し、色補正処理は、ＲＧＢ各色の色相、彩度、明度を補正し、シャープネス処理は画像の鮮鋭度を補正する。
【００５１】
なお、処理済み画像データＳ３を不図示のモニタに表示し、画像サーバ３のオペレータがマニュアル操作により濃度、ホワイトバランス、階調、色、およびシャープネスを補正可能なようにしてもよい。
【００５２】
また、カメラ付き携帯電話１，２の画像処理手段１３，２３およびラボ４の画像処理手段４２においても同様に画像処理が行われる。
【００５３】
ここで、カメラ付き携帯電話１，２および画像サーバ３においては、送信容量の制限や表示媒体の表示色の制限があることから、図３においてシャープネス処理後に、容量を低減するための圧縮処理や色数を低減するための減色処理が行われて処理済み画像データＳ１，Ｓ２，Ｓ３が得られる。ここで、カメラ付き携帯電話１，２の液晶モニタ１４，２４の色再現域は、パソコン等のモニタの色再現域よりも狭いため、狭い色再現域を有効に活用するように減色処理が行われる。
【００５４】
また、カメラ付き携帯電話１，２の画像処理手段１３，２３においては、画像サーバ３の画像処理手段３２またはラボ４の画像処理手段４２と比較して簡易な演算により画像データＳ０に対して画像処理が施される。さらに、色補正処理およびシャープネス処理が省略される場合もある。
【００５５】
一方、ラボ４の画像処理手段４２においては、図３のシャープネス処理後の破線に示すように、シャープネス処理後の画像データをプリンタ４３のデバイス信号に変換するプリント出力処理がさらに行われて、処理済み画像データＳ４が得られる。
【００５６】
次いで、本実施形態の動作について説明する。図４はカメラ付き携帯電話１において行われる処理を示すフローチャートである。まず、カメラ１１により撮影が行われて画像データＳ０が取得される（ステップＳ１）。一方、入力手段１７において、カメラ付き携帯電話１のユーザによる画像データＳ０の用途および／または画質の入力が受け付けられ（ステップＳ２）、入力された用途および／または画質に基づいて、画像処理場所決定手段１６において画像データＳ０に画像処理を施す画像処理場所が決定されて場所情報Ｂ０が生成される（ステップＳ３）。
【００５７】
そして、コントローラ１５により、場所情報Ｂ０が参照されて画像処理場所がカメラ付き携帯電話１であるか否かが判定される（ステップＳ４）。ステップＳ４が肯定された場合には、画像処理手段１３において画像データＳ０に対して画像処理が施されて処理済み画像データＳ１が得られ（ステップＳ５）、ステップＳ６に進む。ステップＳ４が否定された場合にもステップＳ６に進む。
【００５８】
ステップＳ６においては、ユーザによる送信指示がなされたか否かの監視が開始され、ステップＳ６が肯定されると、画像データＳ０または処理済み画像データＳ１が場所情報Ｂ０、送信先情報およびプリント出力を依頼する場合にはプリントＰの受け取り先情報とともに画像サーバ３に送信され（ステップＳ７）、処理を終了する。
【００５９】
図５は画像サーバ３において行われる処理を示すフローチャートである。まず、カメラ付き携帯電話１から送信された画像データＳ０または処理済み画像データＳ１が受信され（ステップＳ１１）、画像データＳ０または処理済み画像データＳ１に付与された場所情報Ｂ０に基づいて、画像データＳ０に対する画像処理場所が判定される（ステップＳ１２）。
【００６０】
画像処理場所がカメラ付き携帯電話１であると判定された場合には、処理済み画像データＳ１が送信されていることから、処理済み画像データＳ１を保管手段３３に保管する（ステップＳ１３）。画像処理場所が、カメラ付き携帯電話２またはラボ４であると判定された場合には、未処理の画像データＳ０を保管手段３３に保管する（ステップＳ１４）。
【００６１】
画像処理場所が画像サーバ３であると判定された場合には、オートセットアップ手段３７において画像データＳ０に対して画像処理を施すための画像処理パラメータＰ０が算出され（ステップＳ１５）、画像処理手段３２において画像データＳ０に対して画像処理パラメータＰ０に基づいて画像処理が施されて処理済み画像データＳ３が得られ（ステップＳ１６）、処理済み画像データＳ３が保管手段３３に保管される（ステップＳ１７）。
【００６２】
画像データＳ０または処理済み画像データＳ１，Ｓ３が保管されると、ＵＲＬ生成手段３４において、画像データＳ０または処理済み画像データＳ１，Ｓ３の保管場所を表すＵＲＬが生成される（ステップＳ１８）。そして、メール作成手段３５においてＵＲＬが付与された電子メールが作成され（ステップＳ１９）、画像データＳ０または処理済み画像データＳ１とともに送信された送信先情報に応じた送信先に電子メールが送信され（ステップＳ２０）、処理を終了する。
【００６３】
なお、電子メールの送信先がカメラ付き携帯電話２である場合には、電子メールに付与されたＵＲＬが画像データＳ０のものであるか、処理済み画像データＳ１のものであるかが電子メールに記述される。
【００６４】
図６はラボ４において行われる処理を示すフローチャートである。まず、画像サーバ３から送信された電子メールが受信される（ステップＳ２１）。次いで、通信手段４１が電子メールに付与されたＵＲＬにアクセスして（ステップＳ２２）、画像データＳ０がダウンロードされる（ステップＳ２３）。そして、画像処理手段４２において画像データＳ０に対して画像処理が施されて処理済み画像データＳ４が得られる（ステップＳ２４）。処理済み画像データＳ４はプリンタ４３においてプリント出力されてプリントＰが得られる（ステップＳ２５）。プリント出力が完了すると、通知手段４４によりプリントＰの受け取り先にプリント出力が完了した旨の通知がなされ（ステップＳ２６）、処理を終了する。
【００６５】
なお、プリントＰは、通知を受けた受け取り先（例えばカメラ付き携帯電話１）のユーザがラボ４に出向いて受け取るか、ラボ４からユーザに配送される。
【００６６】
図７はカメラ付き携帯電話２において行われる処理を示すフローチャートである。まず、画像サーバ３から送信された電子メールが受信される（ステップＳ３１）。次いで、通信手段４１が電子メールに付与されたＵＲＬにアクセスして（ステップＳ３２）、画像データＳ０または処理済み画像データＳ１がダウンロードされる（ステップＳ３３）。
【００６７】
そして、電子メールの記述に基づいて、ダウンロードされた画像データが未処理の画像データＳ０か否かが判定され（ステップＳ３４）、ステップＳ３４が肯定されると、未処理の画像データＳ０がダウンロードされたことから、画像処理手段２３において画像データＳ０に対して画像処理が施されて処理済み画像データＳ２が得られる（ステップＳ３５）。処理済み画像データＳ２は液晶モニタ２４に表示され（ステップＳ３６）、処理を終了する。
【００６８】
一方、ステップＳ３４が否定されると、処理済み画像データＳ１がダウンロードされたことから、処理済み画像データＳ１が液晶モニタ２４に表示され（ステップＳ３６）、処理を終了する。
【００６９】
このように、本実施形態においては、処理対象の画像データＳ０を取得したカメラ付き携帯電話１において取得された複数の画像データＳｐ１〜Ｓｐ５に基づいて、画像データＳ０に対して画像処理を施すための画像処理パラメータＰ０を算出するようにしたため、算出された画像処理パラメータＰ０は、処理対象の画像データＳ０を取得したカメラ付き携帯電話１の特性を考慮したものとなっている。したがって、算出された画像処理パラメータＰ０に基づくことにより、同一のカメラ付き携帯電話１において得られた画像データＳ０に対しては画質のばらつきが生じないように画像処理を施すことができる。
【００７０】
また、画像データＳｐ１〜Ｓｐ５を所定時間内に取得された画像データとすることにより、とくに似たシーンの画像に基づいて算出された画像処理パラメータＰ０により処理対象の画像データＳ０に対して画像処理を施すことができるため、処理済み画像データＳ３により表される処理済み画像の画質のばらつきをより低減することができる。
【００７１】
なお、上記実施形態においては、画像データＳ０または処理済み画像データＳ１の送信先の１つをカメラ付き携帯電話２としているが、カメラ無しの携帯電話やＰＤＡ等の携帯端末装置（不図示）等としてもよい。
【図面の簡単な説明】
【図１】本発明の実施形態による画像処理装置を備えた画像処理システムの構成を示す概略ブロック図
【図２】画像データの選択を説明するための図
【図３】画像処理手段およびオートセットアップ手段において行われる処理を示す概略ブロック図
【図４】カメラ付き携帯電話１において行われる処理を示すフローチャート
【図５】画像サーバにおいて行われる処理を示すフローチャート
【図６】ラボにおいて行われる処理を示すフローチャート
【図７】カメラ付き携帯電話２において行われる処理を示すフローチャート
【符号の説明】
１，２　　カメラ付き携帯電話
３　　画像サーバ
４　　ラボ
５　　携帯電話通信網
１１，２１　　カメラ
１２，２２，３１，４１　　通信手段
１３，２３，３２，４２　　画像処理手段
１４，２４　　液晶モニタ
１５，２５，３６，４５　　コントローラ
１６，２６　　画像処理場所決定手段
１７，２７　　入力手段
３３　　保管手段
３４　　ＵＲＬ生成手段
３５　　メール作成手段
３７　　オートセットアップ手段
４３　　プリンタ
４４　　通知手段
【図１】
2004032371.tif 000003
【図２】
2004032371.tif 000004
【図３】
2004032371.tif 000005
【図４】
2004032371.tif 000006
【図５】
2004032371.tif 000007
【図６】
2004032371.tif 000008
【図７】
2004032371.tif 000009